(57)【特許請求の範囲】
【請求項１】
片持ち支持の金属板バネを用いたロック部材が、該ロック部材の先端部を長さ方向に沿って曲げた山形状の係合部を有し、該係合部が装着位置のカードの切欠きに嵌込み、該カードを装着位置にロックするカードコネクタであって、前記係合部が該カードコネクタ上面を覆う金属カバーの孔内に突出する突起を有し、該突起が前記カードの無理抜きにより前記金属カバーに引掛かった後、該金属カバーの下側に潜込み、前記係合部が前記カードの切欠きから外れることを特徴とするカードコネクタ。
【請求項２】
前記突起が前記金属カバーとの接触部に該突起を下向きに押圧するための押圧面を有する請求項１に記載のカードコネクタ。
【請求項３】
複数のコンタクトを並設する絶縁性のボディと該ボディの上面に被着する前記金属カバーからなり前側面にカード挿入口が開口した箱状のハウジングと、該ハウジング内に配置され前記カード挿入口を通して前記ハウジング内に挿入された前記カードにより後側に押込まれるカード挿抜方向に移動可能なスライド部材と、該スライド部材を常時前側に付勢する付勢部材と、前記カードによる前記スライド部材の１回目の押込み操作により前記付勢部材に抗して該スライド部材をカード装着位置に保持するロック機能及び前記カードによる該スライド部材の２回目の押込み操作により該ロックを解除するロック解除機能を有するカム機構とを具備するイジェクト機構を有し、前記ロック部材が該イジェクト機構のスライド部材に取付けられ、前記金属カバーの孔が長孔に形成されており、前記ロック部材が該イジェクト機構のスライド部材と一体的に移動する請求項１又は２に記載のカードコネクタ。
【請求項４】
前記金属カバーの長孔が、カード装着時に前記ロック部材の突起が位置する部分と、カードイジェクト時に前記スライド部材が初期位置に復帰する直前、前記ロック部材の突起が通過する部分で、孔幅が狭くなっている請求項３に記載のカードコネクタ。
【発明の詳細な説明】
【技術分野】
【０００１】
本発明は、メモリカード等のカードをＰＣ、携帯電話機、デジタルカメラ、携帯型オーディオ等の電子機器に接続するためのカードコネクタに関する。
【背景技術】
【０００２】
従来、カードコネクタに装着されたカードを装着位置にロック（係止）するロック部材を設けるに当って、該ロック部材を片持ち支持の板バネで形成し、該ロック部材の先端部に該部を長さ方向に沿って曲げて設けた山形状の係合部を装着位置のカードの切欠きに係合すると共に、該係合部の先端をハウジングに設けた支持面に当接させることで、該係合部が切欠きから外れるのを規制し、カードを装着位置にロックするように構成し、該ロック状態でカードが無理抜きされた場合、係合部をハウジングに設けた支持面を支点に平らに変形させることで、切欠きとの係合を外し、ロック部材の破損を防止する技術があった（例えば特許文献１、２参照）。
【０００３】
また、カードコネクタのハウジング内にカード挿抜方向に移動可能に配置されプッシュ／プッシュ型のイジェクト部材を構成するスライド部材に前記ロック部材を取付け、カードをロック部材によってスライド部材に係合させた状態で装着位置からイジェクト（排出）し、カードの飛出しを防止する技術があった（例えば特許文献１、２参照）。
【特許文献１】特開２００２−２７０２９９号公報
【特許文献２】特開２００４−９５４１８号公報
【発明の開示】
【発明が解決しようとする課題】
【０００４】
上記従来技術は、ロック状態でカードが無理抜きされた場合、その都度、係合部を切欠きとの係合を外すために平らに変形させるので、無理抜き回数が多くなると、係合部の弾性劣化によって該係合部が元の山形状に戻らなくなり、塑性変形してしまい、該係合部と切欠きとの掛かりが甘くなったり掛からなくなり、ロック機能の低下ないし消失を招く問題があった。
【０００５】
また、ロック部材をプッシュ／プッシュ型のイジェクト機構を構成するスライド部材に取付けた上記従来技術では、カード装着状態ではロック部材の係合部先端がハウジングに設けた支持面に当接し、該係合部が切欠きから外れるのを規制できるが、それ以外の状態ではロック部材の係合部がハウジングに設けた支持面から外れ、該係合部がロック部材の弾性力のみで切欠きに係合されるだけのため、カードイジェクト時には該係合部が切欠きから外れ易く、該カードがカードコネクタから飛出し易いという問題があった。
【０００６】
本発明が解決しようとする課題は、カードを装着位置にロック（係止）するロック部材を設けるに当って、カードが無理抜きされた場合、ロック機能の低下ないし消失を招くことなく、該ロック部材の破損を防止することができるカードコネクタを提供することにある。
【０００７】
また、ロック部材をプッシュ／プッシュ型のイジェクト機構を構成するスライド部材に取付けた場合でも、カードイジェクト時に該ロック部材によってカードの飛出しを防止することができるカードコネクタを提供することにある。
【課題を解決するための手段】
【０００８】
本発明のカードコネクタは、片持ち支持の金属板バネを用いたロック部材が、該ロック部材の先端部を長さ方向に沿って曲げた山形状の係合部を有し、該係合部が装着位置のカードの切欠きに嵌込み、該カードを装着位置にロックするカードコネクタであって、前記係合部が、該カードコネクタ上面を覆う金属カバーの孔内に突出する突起を有し、該突起が前記カードの無理抜きにより前記金属カバーに引掛かった後、該金属カバーの下側に潜込み、前記係合部が前記カードの切欠きから外れることを特徴とする。
【０００９】
上記構成を有する本発明のカードコネクタは、カード装着状態において、ロック部材の係合部に有する突起が金属カバーの孔内に突出しているので、該係合部が切欠きから外れるのを規制し、カードをロック部材によって装着位置にロック（係止）することができる。該ロック状態でカードが無理抜きされた場合、前記突起を金属カバーに引掛けた後、該金属カバーの下側に潜込ませることで、該係合部を変形させずに切欠きから外し、ロック部材の破損を防止することができる。また山形状の係合部はその高さを切欠きの深さ内で十分に高くしても、カードが無理抜きされた場合、該係合部を変形させずに切欠きから外し、ロック部材の破損を防止することができるので、カードが無理抜きされた場合のことを考慮せずに該係合部と切欠きとの掛かり量を大きく確保することができる。
【００１０】
本発明のカードコネクタでは、前記突起が前記金属カバーとの接触部に該突起を下向きに押圧するための押圧面を有する構成を付加すると、ロック状態でカードが無理抜きされた場合、前記突起が金属カバーに引掛かった後、該押圧面によって該突起を下向きに押圧して該金属カバーの下側に潜込ませるので、該突起と金属カバーの接触部の変形を防止しながら、該係合部を確実に切欠きから外し、ロック部材の破損を確実に防止することができる。
【００１１】
本発明のカードコネクタでは、複数のコンタクトを並設する絶縁性のボディと該ボディの上面に被着する前記金属カバーからなり前側面にカード挿入口が開口した箱状のハウジングと、該ハウジング内に配置され前記カード挿入口を通して前記ハウジング内に挿入されたカードにより後側に押込まれるカード挿抜方向に移動可能なスライド部材と、該スライド部材を常時前側に付勢する付勢部材と、前記カードによる前記スライド部材の１回目の押込み操作により前記付勢部材に抗して該スライド部材をカード装着位置に保持するロック機能及び前記カードによる該スライド部材の２回目の押込み操作により該ロックを解除するロック解除機能を有するカム機構とを具備するイジェクト機構を有し、前記ロック部材が該イジェクト機構のスライド部材に取付けられ、前記金属カバーの孔が長孔に形成されており、前記ロック部材が該イジェクト機構のスライド部材と一体的に移動する構成を付加すると、プッシュ／プッシュ型のイジェクト機構付きのカードコネクタにおいて、ロック部材の係合部に有する突起が常に金属カバーの長孔内に突出するので、該係合部が切欠きから外れるのを規制し、カードをロック部材によって装着位置にロック（係止）することができる。該ロック状態でカードが無理抜きされた場合、前記突起を金属カバーに引掛けた後、該金属カバーの下側に潜込ませることで、該係合部を変形させずに切欠きから外し、ロック部材の破損を防止することができる。また山形状の係合部はその高さを切欠きの深さ内で十分に高くしても、カードが無理抜きされた場合、該係合部を変形させずに切欠きから外し、ロック部材の破損を防止することができるので、カードが無理抜きされた場合のことを考慮せずに該係合部と切欠きとの掛かり量を大きく確保することができる。さらにカードイジェクト時にも該ロック部材の係合部が切欠きから外れるのをカード装着時と同様に規制することができ、しかも該係合部と切欠きとの掛かり量も大きいので、カードイジェクト時に該係合部を切欠きに係合保持することができる。
【００１２】
本発明のカードコネクタでは、前記金属カバーの長孔が、前記ロック部材の突起がカード装着時に位置する部分と、カードイジェクト時に前記スライド部材が初期位置に復帰する直前、前記ロック部材の突起が通過する部分で、孔幅が狭くなっている構成を付加すると、プッシュ／プッシュ型のイジェクト機構付きのカードコネクタにおいて、カード装着状態では前記ロック部材の突起が前記金属カバーの長孔の幅狭部分に位置し、カードイジェクト時にはスライド部材が初期位置に復帰する直前、前記ロック部材の突起が、前記金属カバーの長孔の幅狭部分を通過することで、カード装着状態時とカードイジェクト時において、該ロック部材の係合部が切欠きから外れるのを規制する機能を高めることができ、しかも該係合部と切欠きとの掛かり量も大きいので、カード装着状態時とカードイジェクト時に該係合部を切欠きに確実に係合保持することができる。
【発明の効果】
【００１３】
上記のように本発明のカードコネクタによれば、カードを装着位置にロック（係止）するロック部材を設けるに当って、カードが無理抜きされた場合、該ロック部材の係合部を変形させずにカードの切欠きから外すことができるので、ロック機能の低下ないし消失を招くことなく、該ロック部材の破損を防止することができると共に、ロック機能を向上することができる。
【００１４】
また、前記ロック部材をプッシュ／プッシュ型のイジェクト機構を構成するスライド部材に取付けた場合でも、カードイジェクト時に該ロック部材の係合部をカードの切欠きに係合保持することができるので、カードイジェクト時に該ロック部材によってカードの飛出しを防止することができる。
【００１５】
また、本発明のカードコネクタは部品の追加なしで上記作用効果を得ているので、カードコネクタの製造コストを上げることなく該カードコネクタの性能を向上することができると共に、ロック部材及び金属カバーの金型曲げ加工工程の追加もないため、金型製作コストを上がることもない。
【発明を実施するための最良の形態】
【００１６】
以下、本発明のカードコネクタの実施の形態を図面に基づいて詳述する。図１は本実施の形態に備えるロック部材の外観斜視図、図２は本実施の形態にカードが挿入されていない場合の外観斜視図、図３は本実施の形態にカードが挿入されていない場合の内部構造を示す平面図、図４は本実施の形態にカードが挿入された場合の挿入初期の内部構造を示す平面図、図５は本実施の形態にカードが挿入されて最押込み位置まで押込まれた状態の内部構造を示す平面図、図６は本実施の形態にカードが挿入されて装着された状態の内部構造を示す平面図、図７〜図１１はロック部材の突起と金属カバーの孔との関係を示す平面図、図１２（Ａ）〜（Ｅ）は本実施の形態に使用されるカードを示す表面図、側面図、裏面図である。
【００１７】
本実施の形態は、図２〜図６に示すように、図１２（Ａ）〜（Ｅ）に示すようなカード１を挿入するカード挿入口１０が前側面に開口した箱状（直方体状）のハウジング１１を備えている。該ハウジング１１は、樹脂製（絶縁性）のボディ２０と、該ボディ２０に上方から被着される金属板でなる（導電性）の金属カバー３０とから構成されており、該ハウジング１１の底部，右側面部，後側面部，カード挿入口１０より右側の前側面部が、ボディ２０に一体成形された底部２１，右側壁部２２，後側壁部２３，前側壁部２４により形成され、該ハウジング１１の天面部，右側面部のカバー部，左側面部が、金属カバー３０に一体成形された天板部３１，右側面カバー部３２，左側板部３３により形成されている。金属カバー３０には図示しないプリント配線基板に対する半田付け用の脚部３４が複数設けられている。
【００１８】
なお、カード１は、図１２（Ａ）〜（Ｅ）に示すように、外形が略矩形平板状に形成されており、該カード１の先端一側の角部を落として誤挿入防止用の切欠き２が設けられ、該誤挿入防止用の切欠き２より手前側のカード１の側面部にロック用の切欠き３が設けられるている。またカード１の先端部裏面側には複数本（８本）の接続端子４が並設されている。該カード１は、メモリーカードの中でマイクロＳＤカード（登録商標）やトランスフラッシュ（登録商標）として公知のものである。
【００１９】
また、本実施の形態は、図３，図４に示すように、カード１の各接続端子４と電気的に接続する複数本（８本）のコンタクト４０をハウジング１１内に並設して備えている。該コンタクト４０は、金属薄板を打抜き加工及び曲げ加工して、側面視の形状が略「へ」の字形に形成された細幅の板バネからなる。該コンタクト４０は、後部がボディ２０の底部２１に固定され、前部がボディ２０の底部２１の上に上下に弾性変位可能に突出されている。このような片持ち支持の板バネを用いた該コンタクト４０は、後端部に図示しないプリント配線基板に対する半田付け用の脚部４１が設けられ、前端部にカード１の接続端子３に弾接触される山形状の接点部４２が設けられている。
【００２０】
また、本実施の形態は、図３〜図６に示すように、ハウジング１１内の右側部に配置され、カード挿入口１０からハウジング１１内に挿入されたカード１と共に前後方向（カード挿抜方向）に移動する樹脂製（絶縁性）のスライド部材５０を備えている。該スライド部材５０は、底面がボディ２０の底部２１の表面（上面）で摺動自在に支持され、右側面がボディ２０の右側壁部２２の内面で摺動自在に支持され、上面が金属カバー３０の天板部３１の内面で摺動自在に支持されて、左右方向の移動が規制され前後方向の移動のみが許容されている。前記金属カバー３０の左側板部３３と対向する該スライド部材５０の左側面には、カード１の誤挿入防止用の切欠き２に嵌込む張出し部５１が設けられると共に、該張出し部５１の後端部（スライド部材５０の後端部）から左側に向かって垂直に突出されてカード１の先端面と当接されるカード受止め部５２が設けられている。
【００２１】
前記スライド部材５０は後述する付勢部材及びカム機構とでプッシュ／プッシュ型のイジェクト機構を構成している。該付勢部材は、スライド部材５０とボディ２０の後側壁部２３との間に設けられた圧縮コイルバネ６０でなり、該圧縮コイルバネ６０によりスライド部材５０が前側（カードイジェクト方向）に常時付勢されている。カム機構は、スライド部材５０の上面に有するハート形のカム溝７０と、両端部を一方向に直角に折曲げた細長い金属棒からなるカムピン７１とで構成されており、カムピン７１の一端側折曲げ部がボディ２０の右側壁部２２に回転自在に軸受けされ、カムピン７１の他端側折曲げ部がカム溝７０内に摺動自在に嵌込まれている。
【００２２】
前記イジェクト機構は、ハウジング１１内にカード１が挿入されていない場合、図３に示すように、スライド部材５０が圧縮コイルバネ６０の付勢力により前側の移動終端位置である初期位置にあり、カムピン７１の他端側折曲げ部がカム溝７０の一端側起点部７０ａに位置する初期状態にある。
【００２３】
なお、前記イジェクト機構のカムピン７１は、金属カバー３０の天板部３１の一部を切起して形成した片持ち支持の板バネ３５（図２参照）の先端で常時下方に付勢され、該カムピン７１の一端側折曲げ部がボディ２０の右側壁部２２に設けられた軸受け孔に挿入保持されると共に、該カムピン７１の他端側折曲げ部先端がスライド部材５０のカム溝７０の底面に摺動自在に押付けられている。
【００２４】
また、本実施の形態は、図１に示すような金属板バネを用いたロック部材８０を備えている。該ロック部材８０は、該ロック部材８０の一端部にカード１のロック用の切欠き３に嵌込む係合部８１を有し、該係合部８１は、ロック部材８０の一端部を長さ方向に沿って山形状に曲げることで、ロック部材８０に一体に形成されている。該係合部８１は、該係合部８１と切欠き３との掛かり量をできる限り大きく確保するように、切欠き３の深さと略同じ高さの山形状に形成されている。また該係合部８１は、前記金属カバー３０の天板部３１に開設した後述する孔内に突出する突起８２を有し、該突起８２は、山形状の係合部８１の基端側辺部の上側縁を部分的に盛上げることで、係合部８１に一体に形成されている。また該突起８２は、該突起８２の上端外側の角部を丸みを付けて或いは丸みを付けずに落として該突起８２を下向きに押圧するための押圧面８３を有している。
【００２５】
前記ロック部材８０は、図３〜図６に示すように、該ロック部材８０の係合部８１と反対側の端部がスライド部材５０に埋込む形で固定的に取付けられ、該係合部８１が張出し部５１の少し手前側で該張出し部５１と同方向にハウジング１１内に張出し、かつ該係合部８１が左右方向（切欠き３に対する係脱方向）に変位できるように、該スライド部材５０に片持ち支持され、スライド部材５０と一体的に移動するようになっている。
【００２６】
また、前記ロック部材８０の突起８２は、図２，図７〜図１１に示すように、金属カバー３０の天板部３１に開設した長孔３６内に突出している。該長孔３６は、ロック部材８０がスライド部材５０と一体的に移動できるように、前後方向に長い長孔に形成されており、該長孔３６は、ロック部材８０がスライド部材５０と一体的に移動する際の該突起８２の移動範囲に開設されている。
【００２７】
また、前記長孔３６の内側縁（左側縁）は、係合部８１が切欠き３に完全に嵌込んだ係合状態における突起８２の直ぐ内側においてカード挿抜方向に沿って前後方向に直線状に延ばされて形成されているのに対し、該長孔３６の外側縁（右側縁）は、該長孔３６の孔幅を長さ方向に沿って異ならせるように、凹凸が付けられてカード挿抜方向に沿って前後方向に延ばされて形成されている。
【００２８】
具体的には、図３，図４、図７に示すように、スライド部材５０が初期位置にある時に突起８２が位置する該長孔３６の前端部分３６ａと、図５，図８に示すように、スライド部材５０が最押込み位置に押込まれた時に突起８２が位置する該長孔３６の後端部分３６ｂとで、該長孔３６の孔幅が最も広くなり、かつ図６，図９に示すように、スライド部材５０がカード装着位置にある時に突起８２が位置する該長孔３６の後端幅広部分３６ｂの直前の部分３６ｃと、スライド部材５０が初期位置に復帰する直前、突起８２が通過する該長孔３６の前端幅広部分３６ａの直前の部分３６ｄとで、該長孔３６の孔幅が最も狭くなり、かつ該長孔３６の後部幅狭部３６ｃの直前の部分から前部幅狭部３６ｄの直後の部分の中間部分３６ｅで、該長孔の孔幅が後側に行くに連れて漸次広くなり（前側に行くに連れて漸次狭くなり）、該長孔３６の中間部分３６ｅにおける後端部の孔幅が前端幅広部分３６ａ及び後端幅広部分３６ｂと同じ孔幅になり、該長孔３６の中間部分３６ｅにおける前端部分の孔幅が後部幅狭部３６ｃ及び前部幅狭部３６ｄと同じ孔幅になるように、該長孔３６の外側縁に凹凸が付けられている。
【００２９】
そして、該長孔３６の前端幅広部分３６ａ、後端幅広部分３６ｂ、中間部分３６ｅ後端部の各孔幅が、該係合部８１が切欠き３から外れてカード１の側面に乗上げた状態において、突起８２の直ぐ外側（右側）に該長孔３６の外側縁（右側縁）が位置し、突起８２が該長孔３６の外側縁（右側縁）に接触しないような寸法に形成され、該長孔３６の後部幅狭部３６ｃ、前部幅狭部３６ｄ、中間部分３６ｅ前端部の各孔幅が、該係合部８１が切欠き３に完全に嵌込んだ係合状態において、突起８２の直ぐ外側（右側）に該長孔３６の外側縁（右側縁）が位置し、該長孔３６の後部幅狭部３６ｃ、前部幅狭部３６ｄ、中間部分３６ｅ前端部を突起８２が該長孔３６の外側縁（右側縁）に接触せずに漸く通過でき、かつ該係合部８１が切欠き３から外れようとした時に突起８２の外側縁上部の押圧面８３が該長孔３６の外側縁で金属カバー３０の天板部３１に接触して引掛かる（干渉する）ような寸法に形成されている。
【００３０】
また、本実施の形態は、本実施の形態は、図３〜図６に示すように、ハウジング１１内の後端部に配置され、カード挿入口１０からハウジング１１内に挿入されたカード１を検出するカード検出スイッチを構成するための一対の第１及び第２可動接片９０，９１を備えている。各可動接片９０，９１は導電性を有する金属薄板からなり、第１可動接片９０の右端部がボディ２０の後端右端部に横向きに圧入又はインサート成型により固定支持され、その他端部がハウジング１１内のカード挿入領域における後端部左端部にカード挿抜方向に弾性変位可能に斜めに突出支持されると共に、第２可動接片９１の右端部が第１可動接片９０の前側で平行にボディ２０の後端右端部に横向きに圧入又はインサート成型により固定支持され、その他端部が第１可動接片９０の前側でハウジング１１内のカード挿入領域における後端部左端部にカード挿抜方向に弾性変位可能に斜めに突出支持され、第１及び第２可動接片９０，９１が対向配置されている。第１及び第２可動接片９０，９１の固定端部には、図示しないプリント配線基板に対する半田付け用の脚部９２,９３が設けられている。
【００３１】
上記のように構成された本実施の形態としてのプッシュ／プッシュ型のイジェクト機構付きのカードコネクタは、例えば携帯電話機等の電子機器筺体に内蔵されるプリント配線基板に表面実装され、金属カバー３０の各脚部３４と各コンタクト４０の脚部４１と第１及び第２可動接片９０，９１の脚部９２，９３が、該プリント配線基板の配線パターンに半田付けされて固着され、電気的に接続された状態で使用される。
【００３２】
次に、本実施の形態の動作について説明する。カード１の裏面を下にし、該カード１の幅の小さい先端部からカード挿入口１０を通してハウジング１１内に正規挿入すると、図４に示すように、カード１は、該カード１の誤挿入防止用の切欠き２にスライド部材５０の張出し部５１が嵌込みながらハウジング１１内のスライド部材５０と金属カバー３０の左側板部３３の間に嵌込み、該カード１の先端面がスライド部材５０のカード受止め部５２に当接する。
【００３３】
上記挿入初期において、カード１の誤挿入防止用の切欠き２がロック部材８０の係合部８１を通過する際、ロック部材８０の係合部８１が誤挿入防止用の切欠き２の前端側面に摺接しながら該ロック部材８０の外側への撓みを伴ってカード１の誤挿入防止切欠き部２とロック用の切欠き３との間の側面部に乗上がり、スライド部材５０の受止め部５２がカード１の先端面との当接によりカード１を受止めるのと略同時に、ロック用の切欠き３がロック部材８０の係合部８１と対向し、該係合部８１がロック部材８０の内側への弾性復帰を伴ってロック用の切欠き３に完全に嵌込む。これにより、カード１とスライド部材５０とがカード挿抜方向で係合され、カード１にハーフロックが掛けられる。
【００３４】
この際、スライド部材５０は初期位置に停止したままであり、ロック部材８０の突起８２は、図７に示すように、長孔３６の前端幅広部分３６ａにおける孔幅内で、金属カバー３０の天板部３１に干渉することなく、係合部８１の左右方向に変位に伴って左右方向に変位し、該係合部８１がロック用の切欠き３に完全に嵌込むことで、長孔３６の前端幅広部分３６ａにおける左端部に位置する。
【００３５】
上記挿入初期の状態からカード１がさらにハウジング１１内の後側に挿入されると、カード１はこの先端面でスライド部材５０の受止め部５２を後側へ押圧し、スライド部材５０がコイルバネ６０の付勢力に抗してカード１の挿入に伴って初期位置からハウジング１１内の後側へと押込まれる。その後、カード１は、スライド部材５０の後端面がボディ２０の後端部に突当たるカード挿入方向の移動終端位置である最押込み位置まで押込まれる（１回目の押込み操作）（図５参照）。またカード１は、後述するカード装着位置を通過する少し前から該カード１の先端面で前側の第２可動接片９１の先端部を後側に押圧し、該第２可動接片９１の先端部と後側の第１可動接片９０の先端部を接触させた状態で、第１及び第２可動接片９０，９１を後側へ撓ませ、カード検出スイッチをオンにする。
【００３６】
この際、ロック部材８０は、該ロック部材８０の係合部８１が該ロック部材８０の弾性力によってロック用の切欠き３に完全に嵌込んだ状態で、該ロック部材８０の突起８２が図７に示す長孔３６の前端幅広部分３６ａにおける左端部から該長孔３６の左端部を後側に移動しながら前部幅狭部分３６ｄ、中間部分３６ｅ、後部幅狭部分３６ｃを通過して図８に示す長孔３６の後端幅広部分３６ｂにおける左端部に至ることで、カード１及びスライド部材５０と一体的に移動する。
【００３７】
上記のようにカード１が最押込み位置に押込まれた状態で、カード１の押込み力を解除すると、スライド部材５０がコイルバネ６０の付勢力により最押込み位置から前側へ押戻され、これに伴ってカード１も最押込み位置から前側へ押戻される。このスライド部材５０の初期位置からの一連の動作により、カムピン７１の他端側折曲げ部がカム溝７０の一端側起点部７０ａから往路７０ｂを通過して他端側係止部７０ｃに導入係止され、スライド部材５０の前側への移動が最押込み位置より少し手前のカード装着位置で規制され、スライド部材５０がボディ２０に対してロックされる。これにより、カード１は、ロック部材８０によってスライド部材５０とカード挿抜方向で係合されているカード装着位置に保持され、カード１の各接続端子４が各コンタクト４０の接点部４２に接触保持され、カード１の各接続端子４と各コンタクト４０が電気的に接続され、カード装着状態になり、電子機器とカード１間での信号の送受が行えるようになる（図６参照）。またカード装着位置のカード１は、該カード１の先端面で前側の第２可動接片９１の先端部を後側に押圧し、該第２可動接片９１の先端部と後側の第１可動接片９０の先端部を接触させた状態で、第１及び第２可動接片９０，９１を後側へ撓ませ、カード検出スイッチをオン保持する。
【００３８】
この際、ロック部材８０は、該ロック部材８０の係合部８１がロック用の切欠き３に完全に嵌込んだ状態で、該ロック部材８０の突起８２が図８に示す長孔３６の後端幅広部分３６ｂにおける左端部から該長孔３６の左側部を前側に移動することで、カード１及びスライド部材５０と一体的に移動する。そして、カード装着状態において、ロック部材８０の突起８２は、図９に示すように、長孔３６の後部幅狭部分３６ｃにおける孔幅内に位置する。
【００３９】
上記カード装着状態において、誤ってカード１が引抜き操作された場合、カード１のロック用の切欠き３に嵌込んでいる係合部８１が該切欠き３の後端側面で押圧されてロック部材８０の外側への撓みを伴って該切欠き３から外れようとするが、長孔３６の後部幅狭部分３６ｃにおける孔幅内に位置する突起８２の外側縁上部の押圧面８３が、長孔３６の後部幅狭部分３６ｃにおける該長孔３６の外側縁で金属カバー３０の天板部３１に接触して引掛かることで、該係合部８１が切欠き３から外れるのを規制する。これにより、カード１はロック部材８０によって装着位置にロック（係止）され、誤った引抜き操作を未然に防止することができる。
【００４０】
そして、上記ロック状態でカード１がさらに引抜き操作（無理抜き）された場合は、突起８２の外側縁上部の押圧面８３が長孔３６の後部幅狭部分３６ｃにおける該長孔３６の外側縁にさらに強く押付けられ、図１０に示すように、押圧面８３によって該突起８２が下向きに押圧されてロック部材８０の下側への僅かな撓み（金属カバー３０の天板部３１の板厚分相当）を伴って金属カバー３０の天板部３１の下側に潜込む。これにより、該突起８２と金属カバー３０の天板部３１の接触部の変形を防止しながら、ロック部材８０の係合部８１を変形させることなく確実に切欠き３から外側に外すことができる。従って、無理抜きされたカード１はカード挿入口１０からハウジング１１の外側に抜去ることができ、このロック状態でのカード１の無理抜きによるロック部材８０の破損を防止することができる。
【００４１】
上記カード装着状態でカード１の押込み操作を行うことにより（２回目の押込み操作）、カード１とスライド部材５０が共に再度最押込み位置へ押込まれる。このスライド部材５０の動作により、カムピン７１の他端側折曲げ部が、カム溝７０の係止部７０ｃから離脱して復路７０ｄに導入され、スライド部材５０のカード装着位置でのロックが解除される。この時点でカード１の押込み力を解除することにより、スライド部材５０はコイルバネ６０の付勢力により該スライド部材５０の受止め部５２でカード１の先端面を前側に押圧し、カード１をイジェクトしながら最押込み位置から前方へ押戻され、初期位置へと復帰し、図４に示す状態に戻る。第１及び第２可動接片９０，９１は、カード１の初期位置への復帰によって自由状態に弾性復帰し、第１可動接片９０の先端部と第２可動接片９１の先端部が離反し、カード検出スイッチがオフになる。
【００４２】
上記カードイジェクト時において、ロック部材８０は、該ロック部材８０の係合部８１がロック用の切欠き３に嵌込んだ状態で、該ロック部材８０の突起８２が図９から図８を経て図７の状態に復帰することで、カード１及びスライド部材５０と一体的に移動する。そして、該ロック部材８０の突起８２は、図８から図７に復帰する際、長孔３６の後部幅狭部分３６ｃを通過した後、孔幅が漸次狭くなる中間部分３６ｅを経て孔幅が最も狭くなる前部幅狭部分３６ｄを通過することで、カードイジェクト中に切欠き３に嵌込んでいる係合部８１がロック部材８０の外側への撓みを伴って該切欠き３から例えば半分程度外れたとしても、突起８２の外側縁上部の押圧面８３が、長孔３６の中間部分３６ｅから前部幅狭部分３６ｄにおける該長孔３６の外側縁に摺接するため、該係合部８１が切欠き３から外れてしまうのを規制すると共に、該係合部８１を切欠き３内に押込み略完全に嵌込むことができ、この直後にスライド部材５０が初期位置に至る。これにより、カードイジェクト時にスライド部材５０が初期位置で急停止し、カード１に動慣性力が働いても、該ロック部材８０の係合部８１がロック用の切欠き３に略完全に嵌込み、しかも該係合部８１と切欠き３との掛かり量も大きいので、該係合部８１を切欠き３に確実に係合保持することができ、カード１の飛出しを確実に防止することができる。
【００４３】
上記のようにイジェクトされたカード１は、カード挿入口１０からハウジング１１の外側に突出している該カード１の端部を指で摘んで引っ張ることにより、ロック部材８０の係合部８１がロック用の切欠き３の前端側面に摺接しながら該ロック部材８０の外側（右側）への撓みを伴ってロック用の切欠き３から外側に外され、該ロック用の切欠き３と誤挿入防止切欠き２との間の側面部に乗上がり、カード１のハーフロックが解除され、該カード１をハウジング１１内からカード挿入口１０を通して抜去ることができる。そして、、カード１の抜去り後は図３に示す状態に戻る。
【００４４】
この際、ロック部材８０の突起８２は、図７に示すように、長孔３６の前端幅広部分３６ａにおける孔幅内で、金属カバー３０の天板部３１に干渉することなく、係合部８１の外側への変位に伴って外側に変位し、該係合部８１をロック用の切欠き３から外すことができる。この後、ロック部材８０は、カード１の抜去りに伴う該ロック部材８０の内側への弾性復帰によって、該ロック部材８０の突起８２が、図７に示すように、長孔３６の前端幅広部分３６ａにおける孔幅内で、金属カバー３０の天板部３１に干渉することなく内側に変位し、長孔３６の前端幅広部分３６ａにおける左端部に位置し、該ロック部材８０の係合部８１が、該係合部８１が張出し部５１の少し手前側で該張出し部５１と同方向にハウジング１１内に突出し、図３に示す状態に戻る。
【００４５】
なお、カード装着状態（ロック状態）で無理抜きされたカード１を再度挿入した場合は、該カード１の挿入がスライド部材５０に対し２回目の押込み操作として働くため、スライド部材５０のカード装着位置でのロックが解除され、スライド部材５０はコイルバネ６０の付勢力により該スライド部材５０の受止め部５２でカード１の先端面を前側に押圧し、カード１をイジェクトしながら最押込み位置から前方へ押戻され、初期位置へと復帰し、図４の状態に戻る。
【００４６】
この際、金属カバー３０の天板部３１の下側に潜込んでいるロック部材８０の突起８２は、スライド部材５０のカード装着位置から最押込み位置への移動に伴う該ロック部材８０の移動によって、図１１に示すように、金属カバー３０の天板部３１の下側から長孔３６の後端幅広部分３６ｂにおける右端部に入込んだ後、該ロック部材８０の内側への弾性復帰によって、図８に示すように、長孔３６の後端幅広部分３６ｂにおける孔幅内で、金属カバー３０の天板部３１に干渉することなく内側に変位し、長孔３６の後端幅広部分３６ｂにおける左端部に変位にする。これにより、該ロック部材３の係合部８１が最押込み位置のカード１のロック用の切欠き３に完全に嵌込み、ロック部材８０が破損することはない。この後、ロック部材８０は上記カードイジェクト時と同様にカード１及びスライド部材５０と一体に初期位置に復帰する。
【００４７】
以上、本実施の形態は本発明の一実施形態を示したが、本発明はそれに限定されることなく、その要旨を逸脱しない範囲内で種々変形実施することができる。例えば本実施の形態では、マイクロＳＤカードやトランスフラッシュを電子機器に接続するためのプッシュ／プッシュ型のイジェクト機構付きのカードコネクタを示したが、本発明は他のメモリーカードを使用対象とするカードコネクタにも適用することができるものである。
【図面の簡単な説明】
【００４８】
【図１】本実施の形態に備えるロック部材の外観斜視図である。
【図２】本実施の形態にカード挿入されていない場合の挿入初期の外観斜視図である。
【図３】本実施の形態にカードが挿入されていない場合の内部構造を示す平面図である。
【図４】本実施の形態にカードが挿入された場合の挿入初期の内部構造を示す平面図である。
【図５】本実施の形態にカードが挿入されて最押込み位置まで押込まれた状態の内部構造を示す平面図である。
【図６】本実施の形態にカードが挿入されて装着された状態の内部構造を示す平面図である。
【図７】カードが挿入された場合の挿入初期の状態のロック部材の突起と金属カバーの孔との関係を示す平面図である。
【図８】カードが挿入されて最押込み位置まで押込まれた状態のロック部材の突起と金属カバーの孔との関係を示す平面図である。
【図９】カードが挿入されて装着された状態のロック部材の突起と金属カバーの孔との関係を示す平面図である。
【図１０】カード装着状態でカードが無理抜きされた状態のロック部材の突起と金属カバーの孔との関係を示す平面図である。
【図１１】無理抜きされたカードが再挿入された状態のロック部材の突起と金属カバーの孔との関係を示す平面図である。
【図１２】本実施の形態に使用されるカードを示し、（Ａ）は表面図、（Ｂ）は側面図、（Ｃ）は裏面図である。
【符号の説明】
【００４９】
１  カード
３  ロック用の切欠き
１０  カード挿入口
１１  ハウジング
２０  ボディ
３０  金属カバー
３１  天板部
３６  長孔
３６ａ  前端幅広部分
３６ｂ  後端幅広部分
３６ｃ  後部幅狭部分
３６ｄ  前部幅狭部分
３６ｅ  中間部分
４０  コンタクト
５０  スライド部材
６０  コイルバネ（付勢部材）
７０  ハート形のカム溝（カム機構）
７１  カムピン（カム機構）
８０    ロック部材
８１  係合部
８２  突起
８３  押圧面
【図１】
0004576354.tif 000002
【図２】
0004576354.tif 000003
【図３】
0004576354.tif 000004
【図４】
0004576354.tif 000005
【図５】
0004576354.tif 000006
【図６】
0004576354.tif 000007
【図７】
0004576354.tif 000008
【図８】
0004576354.tif 000009
【図９】
0004576354.tif 000010
【図１０】
0004576354.tif 000011
【図１１】
0004576354.tif 000012
【図１２】
0004576354.tif 000013